【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
寄生容量であるキャパシタ、または、並列接続された外付けのキャパシタを含む、４つのスイッチング素子を有する第１フルブリッジ回路と、
寄生容量であるキャパシタ、または、並列接続された外付けのキャパシタを含む、４つのスイッチング素子を有する第２フルブリッジ回路と、
前記第１フルブリッジ回路に接続された第１巻線と、前記第２フルブリッジ回路に接続され、前記第１巻線と磁気結合する第２巻線とを有するトランスと、
前記第１巻線または前記第２巻線に直列接続されたインダクタンス成分と、
前記第１フルブリッジ回路および前記第２フルブリッジ回路それぞれの各スイッチング素子をソフトスイッチング制御する制御回路と、
を備え、
前記制御回路は、
前記第１フルブリッジ回路および前記第２フルブリッジ回路それぞれの電圧出力期間を調整する出力角変調モードと、スイッチング周波数を調整する周波数変調モードとで実行可能であり、出力すべき目標電力に応じて、前記出力角変調モード、または、前記周波数変調モード、を実行する、
ＤＣ−ＤＣコンバータ。
【請求項２】
請求項１に記載のＤＣ−ＤＣコンバータであって、
スイッチング素子のターンオンとターンオフとの切り替えタイミングで、前記トランスおよび前記インダクタンス成分の等価インダクタに流れるインダクタ電流は、閾値電流以上である、
ＤＣ−ＤＣコンバータ。
【請求項３】
請求項１または請求項２に記載のＤＣ−ＤＣコンバータであって、
前記制御回路は、
前記目標電力が閾値電力未満である場合には、前記出力角変調モードを実行し、
前記目標電力が前記閾値電力以上である場合には、前記周波数変調モードを実行する、
ＤＣ−ＤＣコンバータ。
【請求項４】
請求項１または請求項２に記載のＤＣ−ＤＣコンバータであって、
前記制御回路は、
前記出力角変調モードと、前記周波数変調モードと、前記第１巻線側の電圧および前記第２巻線側の電圧の位相を変更する位相制御モードと、で実行可能であり、出力すべき目標電力に応じて、前記出力角変調モード、前記周波数変調モード、または、前記位相制御モード、を実行する、
ＤＣ−ＤＣコンバータ。
【請求項５】
請求項４に記載のＤＣ−ＤＣコンバータであって、
前記制御回路は、
前記目標電力が第１閾値電力未満である場合には、前記出力角変調モードを実行し、
前記目標電力が前記第１閾値電力以上である場合には、前記周波数変調モードを実行し、
前記目標電力が、前記第１閾値電力より大きい第２閾値電力以上である場合には、前記位相制御モードを実行する、
ＤＣ−ＤＣコンバータ。
【請求項６】
寄生容量であるキャパシタ、または、並列接続された外付けのキャパシタを含む、４つのスイッチング素子を有する第１フルブリッジ回路と、
寄生容量であるキャパシタ、または、並列接続された外付けのキャパシタを含む、４つのスイッチング素子を有する第２フルブリッジ回路と、
前記第１フルブリッジ回路に接続された第１巻線と、前記第２フルブリッジ回路に接続され、前記第１巻線と磁気結合する第２巻線とを有するトランスと、
前記第１巻線または前記第２巻線に直列接続されたインダクタンス成分と、
前記第１フルブリッジ回路および前記第２フルブリッジ回路それぞれの各スイッチング素子をソフトスイッチング制御する制御回路と、
を備え、
前記制御回路は、
前記第１フルブリッジ回路および前記第２フルブリッジ回路それぞれの電圧出力期間を調整する出力角変調モード、または、前記第１巻線側の電圧および前記第２巻線側の電圧の位相を変更する位相制御モード、を実行可能であり、出力すべき目標電力に応じて、前記出力角変調モード、または、前記位相制御モード、を実行する、
ＤＣ−ＤＣコンバータ。
【請求項７】
請求項６に記載のＤＣ−ＤＣコンバータであって、
スイッチング素子のターンオンとターンオフとの切り替えタイミングで、前記トランスおよび前記インダクタンス成分の等価インダクタに流れるインダクタ電流は、閾値電流以上である、
ＤＣ−ＤＣコンバータ。
【請求項８】
請求項２または請求項７に記載のＤＣ−ＤＣコンバータであって、
前記閾値電流は、前記等価インダクタに蓄積されるエネルギーが、２つの前記キャパシタに蓄積されるエネルギー以上となるように、設定されている、
ＤＣ−ＤＣコンバータ。
【請求項９】
請求項８に記載のＤＣ−ＤＣコンバータであって、
前記閾値電流をＩref、前記第１フルブリッジ回路の入力電圧をＶｘ、前記キャパシタのキャパシタンスをＣ、前記等価インダクタのインダクタンスをＬ、補正係数をαで表した場合、
Ｉref＝α・Ｖｘ√（２Ｃ／Ｌ）、
を満たす、ＤＣ−ＤＣコンバータ。
【手続補正２】
【補正対象書類名】明細書
【補正対象項目名】００１３
【補正方法】変更
【補正の内容】
【００１３】
本願の第８発明は、第２発明または第７発明のＤＣ−ＤＣコンバータであって、前記閾値電流は、前記等価インダクタに蓄積されるエネルギーが、２つの前記キャパシタに蓄積されるエネルギー以上となるように、設定されている。
【手続補正３】
【補正対象書類名】明細書
【補正対象項目名】００３７
【補正方法】変更
【補正の内容】
【００３７】
タイミングｔ１では、スイッチング素子Ｑ１１がターンオフされた後、デッドタイムを挟んで、スイッチング素子Ｑ１２がターンオンされる。このデッドタイムでは、スイッチング素子Ｑ１１、Ｑ１２は共にオフとなる。このとき、インダクタＬには、その性質上、インダクタ電流ＩＬが流れ続けるため、図４に示すように、キャパシタＣ１１およびキャパシタＣ１２それぞれから、インダクタＬに電流が流れる。そして、キャパシタＣ１１は充電し、キャパシタＣ１２は放電される。キャパシタＣ１２が放電されると、スイッチング素子Ｑ１２のドレイン・ソース間電圧はゼロである。このときに、スイッチング素子Ｑ１２をターンオンすると、ＺＶＳとなる。
【手続補正４】
【補正対象書類名】明細書
【補正対象項目名】００３９
【補正方法】変更
【補正の内容】
【００３９】
タイミングｔ２では、スイッチング素子Ｑ１４がターンオフされた後、デッドタイムを挟んで、スイッチング素子Ｑ１３がターンオンされる。このデッドタイムでは、図４での説明と同様、キャパシタＣ１４は充電し、キャパシタＣ１３は放電される。キャパシタＣ１３が放電されることで、スイッチング素子Ｑ１３のドレイン・ソース間電圧はゼロである。このときに、スイッチング素子Ｑ１３をターンオンすると、ＺＶＳとなる。
【手続補正５】
【補正対象書類名】明細書
【補正対象項目名】００４１
【補正方法】変更
【補正の内容】
【００４１】
また、タイミングｔ３では、スイッチング素子Ｑ１２がターンオフされた後、デッドタイムを挟んで、スイッチング素子Ｑ１１がターンオンされる。そして、図４での説明と同様、キャパシタＣ１２は充電し、キャパシタＣ１１は放電される。そして、キャパシタＣ１１が放電されることで、スイッチング素子Ｑ１１のドレイン・ソース間電圧はゼロである。このときに、スイッチング素子Ｑ１１をターンオンすると、ＺＶＳとなる。
【手続補正６】
【補正対象書類名】明細書
【補正対象項目名】００４３
【補正方法】変更
【補正の内容】
【００４３】
タイミングｔ０では、スイッチング素子Ｑ１３がターンオフされた後、デッドタイムが設けられて、スイッチング素子Ｑ１４がターンオンされる。そして、図４での説明と同様、キャパシタＣ１３は充電し、キャパシタＣ１４は放電される。キャパシタＣ１４が放電されることで、スイッチング素子Ｑ１４のドレイン・ソース間電圧はゼロである。このときに、スイッチング素子Ｑ１４をターンオンすると、ＺＶＳとなる。そして、図３の状態に遷移する。
【手続補正７】
【補正対象書類名】明細書
【補正対象項目名】００５３
【補正方法】変更
【補正の内容】
【００５３】
また、Ｉrefは、ＺＶＳを実現するために必要なインダクタ電流ＩＬの電流値である。上記のように、例えば、タイミングｔ１のデッドタイム（図４）において、キャパシタＣ１１が充電し、キャパシタＣ１２が放電した後に、スイッチング素子Ｑ１２のドレイン・ソース間電圧がゼロであれば、スイッチング素子Ｑ１２のターンオンはＺＶＳとなる。つまり、インダクタＬのエネルギーは、少なくとも、キャパシタＣ１１、Ｃ１２それぞれに蓄積されるエネルギー以上であれば、スイッチング素子Ｑ１２をＺＶＳできる。このためには、以下の式（２）が成り立つ必要がある。